(57)【特許請求の範囲】
【請求項１】
内筒と外筒を同心二重配置にしてその相互間に下向きに開放された環状溝を形成し該環状溝に容器の口部を嵌合させて固定保持するベースと、このベースの上部に一体的に設けられた環状周壁と、この環状周壁の内側に設けられプルリングによる閉塞壁の引きちぎりによって注出経路を開口させて容器内の内容物の排出を可能とする注出筒と、この注出筒を覆い隠す収納空間を有し環状周壁の外側壁に着脱自在に係合するキャップとを備えた注出栓であって、
前記外筒の下端部に、該外筒の全周を取り囲む環状体を設け、この環状体と外筒との相互間に、それらを複数箇所においてつなぎ止める薄肉連結片を配設してなり、
前記環状体は、容器の口部を環状溝から引き抜く際にその回りの少なくとも一箇所を幅方向に沿って分断する弱化部を有し、
前記キャップは、容器の口部突端に位置する天面壁と、この天面壁の縁部に一体的につながり容器の口部側壁を全周にわたって取り囲む周壁と、この周壁の下端にてヒンジを介して反転可能に連結するリングからなる、ことを特徴とする注出栓。
【請求項２】
前記周壁とリングとの間に、それらを複数箇所にて相互に連結するとともに該環状体からの引き離しによる破断を可能とするブリッジと、凸部を凹部に入れ込み周壁の環状体に対する回動を阻止する回り止めを設けた請求項１記載の注出栓。
【発明の詳細な説明】
【技術分野】
【０００１】
本発明は、容器の口部に装着するのに好適な注出栓に関するものであり、容器の廃棄に際して該注出栓を口部から取り外し容器の構成部材を同材質毎に回収する、いわゆる分別回収につき、その回収率をより一層高めようとするものである。
【背景技術】
【０００２】
醤油やドレッシング等の調味材を入れる容器は、その口部に、プルリングの引き起こしにより閉塞壁部を引きちぎって開封するバージンタイプの注出栓が装着されており、容器内の内容物を使い切るまでの間はねじ込み式のキャップやアンダーカットタイプのキャップを注出栓に適合させて容器を密封状態に保持するようになっている（例えば、特許文献１参照）。
【特許文献１】実用新案登録第２５４８５０６号明細書
【０００３】
ところで、この種の容器は、容器本体部分、注出栓（中栓）、キャップはそれぞれ異種材にて構成されているのが普通であり、使用済み容器を廃棄するに当たっては、各構成部材を個別に分別して回収することが資源の有効活用を図るうえで重要になるところ、とくに、注出栓のベースについては、下向きに開放された環状溝部において容器の口部に強固に嵌合しているため簡単に取り外すことができず分別回収を実現するのが難しい状況にあった。
【０００４】
この点に関する先行技術としては、容器体口頸部へ嵌合させる中栓の外筒に適当数の深溝を設け、その溝底部を肉薄の柔軟部ないし破断部とし、中栓の雄ねじ筒外面へ螺合させたキャップ雌ねじ筒下端から外向きフランジ状頂壁を介して垂下する抱持筒を外筒の外面へ嵌着させる一方、外向きフランジ状頂壁に少数の破断容易な連結子を残して切離し溝を周設し溝の各対向面から、締付け方向への雄ねじ筒回動において互いに接する係合突部を設けたノズル兼用中栓付き容器が知られている（例えば、特許文献１参照）が、この中栓付き容器はその構造が比較的複雑であることから高い成形精度でもって効率的に製造するには製造手法について未だ改善の余地が残されていた。
【特許文献１】実開平７−２２５０号公報
【発明の開示】
【発明が解決しようとする課題】
【０００５】
本発明の課題は、容器の廃棄に際しては比較的簡単な操作のもとで容器の口部から取り外すことができる注出栓を提案するところにある。
【課題を解決するための手段】
【０００６】
本発明は、内筒と外筒を同心二重配置にしてその相互間に下向きに開放された環状溝を形成し該環状溝に容器の口部を嵌合させて固定保持するベースと、このベースの上部に一体的に設けられた環状周壁と、この環状周壁の内側に設けられプルリングによる閉塞壁の引きちぎりによって注出経路を開口させて容器内の内容物の排出を可能とする注出筒と、この注出筒を覆い隠す収納空間を有し環状周壁の外側壁に着脱自在に係合するキャップとを備えた注出栓であって、
前記外筒の下端部に、該外筒の全周を取り囲む環状体を設け、この環状体と外筒との相互間に、それらを複数箇所においてつなぎ止める薄肉連結片を配設してなり、
前記環状体は、容器の口部を環状溝から引き抜く際にその回りの少なくとも一箇所を幅方向に沿って分断する弱化部を有し、
前記キャップは、容器の口部突端に位置する天面壁と、この天面壁の縁部に一体的につながり容器の口部側壁を全周にわたって取り囲む周壁と、この周壁の下端にてヒンジを介して反転可能に連結するリングからなる、ことを特徴とする注出栓である。
【０００８】
周壁とリングとの間には、それらを複数箇所にて相互に連結するとともに該環状体からの引き離しによる破断を可能とするブリッジと、凸部を凹部に入れ込み周壁の環状体に対する回動を阻止する回り止めを設けることができる。
【発明の効果】
【０００９】
注出栓に引き抜き力を加えると、外筒は容器の口部における凸部（凸部と凸部が互いに係合して抜け止めされるアンダーカット係合を形成するための突起）を乗り越えようとして径が拡大され、この時、環状体には該環状体の回りに沿う引張力が作用して該環状体そのものが弱化部から破断することとなり、環状体が破断された状態においては、注出栓の口部に対する嵌合力は小さくなるため該注出栓の取り外しが容易となる。
【発明を実施するための最良の形態】
【００１０】
以下、図面を参照して本発明をより具体的に説明する。
図１〜５は本発明にしたがう注出栓の実施の形態を示した図である。
【００１１】
図における符号１は注出栓のベースである。このベース１は内筒１ａと、外筒１ｂを同心二重に配置してその相互間に下向きに開放された環状溝ｍを形成するものであって、該環状溝ｍに容器の口部が嵌合（凸部と凸部を相互に係合させて抜け止めするアンダーカット係合）するようになっている。
【００１２】
また、２はベース１の上部に一体的に設けられた環状周壁、３は環状周壁２の内側に一体的に配置された注出筒である（ベース１、環状周壁２、注出筒３を全て合わせて中栓と呼ぶこともできる）。この注出筒３には注出経路ｒを閉塞する閉塞壁３ａが設けられており、この閉塞壁３ａにつながるプルリング３ｂの引き起こしにより該閉塞壁３ａを破断予定溝Ｓに沿って引きちぎることにより注出経路ｒを開放することができるようになっている。
【００１３】
４は注出筒３を覆い隠す収納空間を有し、環状周壁２の外側壁に設けられたねじ部に着脱自在に係合するキャップである。このキャップ４は天面壁４ａと、この天面壁４ａの縁部に一体的につながる周壁４ｂからなっている。
【００１４】
５は外筒１ｂの下端部に設けられ該外筒１ｂの全周を取り囲む環状体である。この環状体５は容器の口部に注出栓を嵌合させる際に外筒１ｂの径が外側に拡がるのをある程度抑制する箍として機能する。また、６は環状体５と外筒１ｂとの相互間に配設された薄肉連結片である。この薄肉連結片６は環状体５と外筒１ｂとをその下端部でつなぎ止めるものであって、間隔をおいてその周りの複数箇所に設けられている。この薄肉連結片６は環状体５を上方へ引き上げるか下方へ引き上げることにより切離すことができる厚さに設定され、その中央部を上方へ向けて凸となるように屈曲させておくことができる。
【００１５】
また、７は環状体５に設けられた弱化部である（図１、３参照）。この弱化部７は切欠等により薄肉化された薄肉部にて形成することができ、外筒１ｂの拡径（外筒１ｂの凸部１ｂ′が口部の凸部ｔを乗り越える際に拡径される。図５参照）によって該環状体５に大きな引張力が付与された時（注出栓を口部から取り外すべく引き抜き力を付加した場合等）該環状体５をその幅方向（図中上下方向）に分断する。
【００１６】
かかる構成になる注出栓は、環状体５が弱化部７において分断された場合、外筒１ｂが外側へと拡がり易くなり口部に対する嵌合力が弱まるため比較的小さな引き抜き力でもって注出栓の取り外しが可能となる。
【００１７】
図６は本発明にしたがう注出栓の他の実施の形態を示した外観斜視図である。
図における符号８はキャップ４の周壁４ｂの下端に設けられたリング、９はリング８を反転可能に周壁４ｂに連結するヒンジ、１０キャップ４の周壁４ｂとリング８とを切離し可能に連結するブリッジ（薄肉片）、１１は周壁４ｂに一体的に設けた凸部１１ａをリング８の上端に設けた凹部１１ｂ（凸部を二つ設けてその間に凹部を形成したもの）に入れ込みキャップ４のリング８に対する回動を阻止する回り止めである。
【００１８】
かかる構成のキャップ４は環状周壁２から取り外した状態でキャップ４とリング８とを相互に離反させる向きに力を加えることによりブリッジ１０を破断してリング８を図７に示すように反転させることができるものであり、この反転状態で図８に示す如く再び環状周壁２に取付け、該リング８に指を引っ掛けて上方へ引き上げることで注出栓の取り外しが簡単に行える。
【００１９】
ヒンジ９は帯状体にて構成することが可能であり、その幅端に沿うようにリング８あるいはキャップ４の周壁４ｂにスリットｅを設けておくことによりリング８の反転が容易となる（図６参照）。
【００２０】
また、ヒンジ９が設けられた対向位置でリング８の上端部に指掛け用の凹部１２を設けておくことができ（図７参照）、これにより周壁４ｂとリング８との引き離しが容易に行える。この凹部１２にはブリッジ１０と同様のブリッジ１３を設けることができる。ブリッジ１３は指を引っ掛ける突起としてもよいし、ブリッジ１３そのものの設置を省略することも可能であり、ブリッジ１３の設置を省略した場合には凹部１２のみが存在することになる。
【００２１】
とくに上掲図６に示したキャップ４は、合成樹脂を射出成形することにより単一部材として成形できるものであって、部品点数が増える不具合が生じることはない。
【００２２】
回り止め１１については凸部１１ａを周壁４ｂに設け、凹部１１ｂをリング８に設けた場合について示したが、凹部を周壁４ｂに、凸部１１ａをリング８に設けてもよい。また、凸部１１ａは周壁２の径方向外側へ向けて突出させるタイプの他に下向きに突出させてもよく、キャップのサイズや形状に応じて適宜変更し得る。また、弱化部７は一つ設ける場合について示したが複数設けることができるのはいうまでもない。
【産業上の利用可能性】
【００２３】
分別回収を容易に行うことが可能な注出栓が提供できる。
【図面の簡単な説明】
【００２４】
【図１】本発明にしたがう注出栓の実施の形態を示した図である。
【図２】図１に示した注出栓の要部拡大図である。
【図３】図１に示した注出栓のベースの外筒と環状体の配置状況を示した底面図である。
【図４】図１に示した注出栓を容器の口部に嵌合させた状態を示した図である。
【図５】図４の要部拡大図である。
【図６】本発明にしたがう注出栓の他の実施の形態を示した図である。
【図７】図６に示した注出栓におけるキャップの外観斜視図である。
【図８】注出栓の取り外し要領の説明図である。
【符号の説明】
【００２５】
１    ベース
１ａ  内筒
１ｂ  外筒
２    環状周壁
３    注出筒
３ａ  閉塞壁
３ｂ  プルリング
４    キャップ
５    環状体
６    薄肉連結片
７    弱化部
８    リング
９    ヒンジ
１０  ブリッジ
１１  回り止め
１１ａ  凸部
１１ｂ  凹部
１２    凸部
【図１】
0005154293.tif 000002
【図２】
0005154293.tif 000003
【図３】
0005154293.tif 000004
【図４】
0005154293.tif 000005
【図５】
0005154293.tif 000006
【図６】
0005154293.tif 000007
【図７】
0005154293.tif 000008
【図８】
0005154293.tif 000009